(57)【要約】【課題】  本発明の課題は、竹や籐からなる表皮材を有する床材であって、湿気や接着剤に含まれる揮発成分による反りを防止することの出来る床材を提供することにある。【解決手段】竹または籐からなる複数個の細長形状の表皮片を並列せしめてなる表皮部材と、該表皮部材の底面に設けられる基材からなる床材であって、該床材の底面に、並列された表皮片の長手方向と直交する方向に複数本の条溝を設ける。【選択図】    図３
2006007648.tif 000002
【特許請求の範囲】
【請求項１】
竹または籐からなる複数個の細長形状の表皮片を並列せしめてなる表皮部材と、該表皮部材の底面に設けられる基材からなる床材であって、該床材の底面には、並列された表皮片の長手方向と直交する方向に、複数本の条溝が設けられていることを特徴とする床材。
【発明の詳細な説明】
【技術分野】
【０００１】
本発明は、竹または籐からなる表皮部材を有する床材に関する。
【背景技術】
【０００２】
従来から、竹や籐の天然素材を使用する床材が提案されている。天然素材は温感や触感、および歩行感に優れるので、特に床材の表皮材として使用される。該表皮材は、一般的に、竹や籐の表皮を細長形状に加工して得られる表皮片を複数個並行に配列し、これらの表皮片を相互貼り合わせて製造される。
この種の床材は、通常、床の下地面上に接着剤で固定して使用されるが、該床材を接着剤で固定する際、接着剤に含まれる揮発成分によって床材に反りを生じさせることが問題となっている。
また、天然素材は湿度の影響を受け易く、湿度の高い条件では該天然素材は水分を吸収して膨張し、また湿度の低い条件では、天然素材は水分を放出して収縮する。したがって、天然素材を使用した床材は、湿度によって反り等の変形を生ずることが問題となっている。
そこで、天然素材からなる床材が湿度の影響により変形した場合に、もとの形状に矯正し易くするために底面に条溝を有する床材が提供されている（例えば特許文献１参照）。該床材の底面には表皮材の表皮片の長手方向に並行して複数個の条溝が形成されている。  
【０００３】
【特許文献１】特開２０００−２５４９０３号公報
【０００４】
上記床材のように、複数個の細長形状の表皮片を並行に配列して貼り合わせてなる表皮材を有する床材は、湿度の影響により主に表皮片の短手方向に反りを生ずるが、反りと反対方向に力を加えることによって、材をもとの形状に復元することが出来る。
【発明の開示】
【発明が解決しようとする課題】
【０００５】
しかし、上記床材をもってしても湿気や接着剤の揮発成分による反り等の変形を防ぐことが出来ず、問題となっている。
【課題を解決するための手段】
【０００６】
本発明は上記課題を解決するための手段として、竹または籐からなる複数個の細長形状の表皮片１を並列せしめてなる表皮部材２と、該表皮部材２の底面に設けられる基材３からなる床材５であって、該床材５の底面には、並列された表皮片１の長手方向と直交する方向に、複数本の条溝４が設けられている床材５を提供するものである。
【発明の効果】
【０００７】
本発明の床材は、接着剤から発生する揮発成分や、湿気によっても反り等の変形を生じにくい。
【発明を実施するための最良の形態】
【０００８】
本発明で使用する表皮部材２とは、複数個の細長形状の表皮片１を並行に配列し、該表皮片１同士を結合して得られる板状の部材である（図１〜図３参照）。
該表皮片１の材料として、竹や籐等の天然素材を使用することが望ましい。該表皮片１同士は、通常の公知の接着剤を使用して結合される。なお表皮片１に糸や紐を通して表皮片１相互を固定してもよい。
【０００９】
本発明の基材３としては、例えば、ポリエステル繊維、脂肪族または芳香族ポリアミド繊維、アクリル繊維、ポリエチレン繊維、ポリプロピレン繊維等のポリオレフィン繊維、ビニリデン繊維、ポリ塩化ビニル繊維、ポリウレタン繊維、ビニロン、レーヨン、キュプラ、アセテート繊維等の合成繊維、パルプ、木綿、ヤシ繊維、麻繊維、竹繊維、ケナフ繊維等の植物繊維、ガラス繊維、石綿、セラミック繊維、カーボン繊維等の無機繊維の１種または２種以上の繊維からなる編織物または不織布が使用される。
また、連続気泡構造を有するポリウレタン発泡体（軟質ポリウレタン発泡体、硬質ポリウレタン発泡体を含む）、ポリエチレン、ポリプロピレン等のポリオレフィン発泡体、ポリ塩化ビニル発泡体、ポリスチレン発泡体、アクリロニトリル−スチレン−ブタジエン共重合体、メラミン樹脂、尿素樹脂等のアミノ系樹脂発泡体、エポキシ樹脂発泡体、フェノール系樹脂発泡体等の合成樹脂発泡体を本発明の基材３として使用しても良い。
【００１０】
上記表皮部材２は上記基材３の表面上に固定される。該表皮部材２と該基材３とは、通常の接着剤、低融点ポリアミド繊維不織布のようなホットメルトシート、ホットメルト接着剤粉末等の接着剤によって固定される。
本発明の床材５の底面には複数本の条溝４が形成されている（図４参照）。該条溝４は、表皮部材２の表皮片１の長手方向と直交する方向に配置されている。該条溝４は、一つの床材５に対して５本〜１２本設けられる。条溝４の幅は、０．５ｍｍ〜５ｍｍの範囲であることが望ましい。
床材５の条溝４は、基材４および表皮部材２の一部に渡って形成されてもよく（図５参照）、また図６にしめすように、床材５Ａの基材３にのみ条溝４が形成されてもよい。
【００１１】
本発明の床材５は、表皮部材が竹や籐等の天然素材からなるので触感、温感、歩行感に優れる。本発明の床材５は、床の下地面上に設置して使用されるものであり、例えば、サウナや銭湯、プール等の脱衣室や乾燥室のように湿度の変化が大きな場所で使用することが出来る。また本発明の床材５を壁材として使用することも可能である。
【００１２】
本発明の床材５の表皮部材２は、竹や籐等の天然素材からなるので、湿度が変化すると該表皮部材２は水分を吸収して膨張し、あるいは水分を放出して収縮する。しかし、本発明の床材５は、表皮部材２の表皮片１の長手方向と直交する方向に複数本の条溝４を底面に有するので、湿度が変化しても床材５全体としては、殆んど変形しない。また該床材５を接着剤で下地面に接着する際、床材５は接着剤から溶剤等の揮発成分が揮発しても変形しない。
【００１３】
以下、本発明を実施例によって説明する。なお本発明は以下に示される実施例のみに限定されるものではない。
【００１４】
図３に、竹の表皮部材２を有する床材５（５００ｍｍ×５００ｍｍ×５ｍｍ）を示す。該床材５の表皮片１同士は、エポキシ系接着剤によって結合されている。基材３は、ポリエステル繊維（目付け６００ｇ／ｍ2）からなり、該基材３と表皮部材２はポリアミド系ホットメルト接着剤によって固定されている。床材５の底面には、幅２．３ｍｍの条溝４が６本形成されている。
【００１５】
他の実施例として、図７に籐の表皮部材１２を有する床材１５（５００ｍｍ×４５０ｍｍ×６ｍｍ）を示す。該床材１５の表皮片１１同士は、エポキシ系接着剤により結合されている。なお該表皮部材１２には複数箇所糸が通されている。該床材１５の基材１３は、ポリエステル繊維（目付け６００ｇ／ｍ2）からなり、該基材１３と表皮部材１２はポリアミド系繊維からなるホットメルトシートによって固定されている。床材１５の底面には、幅２．５mmの条溝１４が１０本形成されている。
【産業上の利用可能性】
【００１６】
本発明の床材は、床の下地面上に設置して使用されるものであり、例えば、サウナや銭湯、プール等の脱衣室や乾燥室等の床材として有用である。
【図面の簡単な説明】
【００１７】
【図１】図１は、表皮片の一部の斜視図を示す。
【図２】図２は、表皮部材の斜視図を示す。
【図３】図３は、床材の斜視図を示す。
【図４】図４は、床材の底面図を示す。
【図５】図５は、床材の一部の側面図を示す。
【図６】図６は、他の床材の一部の側面図を示す。
【図７】図７は、他の床材の斜視図を示す。
【符号の説明】
【００１８】
1   表皮片
2   表皮部材
3   基材
4   条溝
5   床材
【図１】
2006007648.tif 000003
【図２】
2006007648.tif 000004
【図３】
2006007648.tif 000005
【図４】
2006007648.tif 000006
【図５】
2006007648.tif 000007
【図６】
2006007648.tif 000008
【図７】
2006007648.tif 000009